(57)【要約】【課題】調芯用ピン、及びワッシャ等の治具を用いることなく、微小レンズを高精度で位置調整するレンズ位置調整方法及びレンズ位置調整装置を提供する。【解決手段】固定レンズに対して位置調整される調整レンズを磁性材料からなる調整レンズ鏡枠に固定するステップと、この調整レンズ鏡枠を、固定レンズを保持した固定レンズ鏡枠上に、少なくとも光軸と直交する方向に移動可能に支持する可動支持ステップと、調整レンズ鏡枠と位置設定用磁界発生手段との間に作用する磁気力を利用して調整レンズ鏡枠を固定レンズ鏡枠に対して相対移動させる位置調整ステップと、位置調整された調整レンズ鏡枠と固定レンズ鏡枠とを固定するステップと、を有するレンズ位置調整方法。【選択図】図１
2007225768.tif 000002
【特許請求の範囲】
【請求項１】
固定レンズに対して相対位置調整される調整レンズを磁性材料からなる調整レンズ鏡枠に固定するステップと、
上記固定レンズを保持した固定レンズ鏡枠上に、上記調整レンズ鏡枠を移動可能に支持する可動支持ステップと、
上記調整レンズ鏡枠と位置設定用磁界発生手段との間に作用する磁気力を利用して上記調整レンズ鏡枠を固定レンズ鏡枠に対して相対移動させる位置調整ステップと、
位置調整された調整レンズ鏡枠と固定レンズ鏡枠とを固定するステップと、
を有することを特徴とするレンズ位置調整方法。
【請求項２】
請求項１記載のレンズ位置調整方法において、上記可動支持ステップでは、調整レンズ光軸を固定レンズ光軸に可及的に一致させるレンズ位置調整方法。
【請求項３】
請求項１または２記載のレンズ位置調整方法において、上記可動支持ステップでは、固定レンズ鏡枠に対し調整レンズ鏡枠が光軸方向にも可動に支持され、上記位置調整ステップでは該調整レンズ鏡枠と位置設定用磁界発生手段との間に作用する磁気力により調整レンズ鏡枠の光軸方向の位置も調整されるレンズ位置調整方法。
【請求項４】
請求項１ないし３のいずれか１項記載のレンズ位置調整方法において、上記位置設定用磁界発生手段は、上記調整レンズ鏡枠の外側に、周方向に間隔をおいて非接触で配置した位置調整用の電磁石であるレンズ位置調整方法。
【請求項５】
請求項１ないし４のいずれか１項記載のレンズ位置調整方法において、上記調整レンズ鏡枠は、周方向に着磁されているレンズ位置調整方法。
【請求項６】
請求項１ないし５のいずれか１項記載のレンズ位置調整方法において、上記固定レンズ鏡枠も磁性材料からなり、該固定レンズ鏡枠と調整レンズ鏡枠は互いに吸引されるように着磁されているレンズ位置調整方法。
【請求項７】
請求項１〜６のいずれか１項記載のレンズ位置調整方法を実行するためのレンズ位置調整装置であって、
固定レンズを保持する固定レンズ鏡枠と、
上記固定レンズに対して位置調整される調整レンズを保持する、磁性材料からなる円筒形状の調整レンズ鏡枠と、
上記調整レンズ鏡枠に作用する磁気力を利用して該調整レンズ鏡枠を上記固定レンズ鏡枠に対して相対移動させる位置設定用磁界発生手段と、
を有することを特徴とするレンズ位置調整装置。
【請求項８】
請求項７記載のレンズ位置調整装置において、上記調整レンズ鏡枠は、上記固定レンズ鏡枠に対して少なくとも光軸に直交する方向に相対移動されるレンズ位置調整装置。
【請求項９】
請求項７または請求項８記載のレンズ位置調整装置において、上記調整レンズ鏡枠は、光軸方向の位置も調整されるレンズ位置調整装置。
【請求項１０】
請求項７〜請求項９のいずれか１項記載のレンズ位置調整装置において、上記調整レンズ鏡枠は、周方向に着磁されているレンズ位置調整装置。
【請求項１１】
調整レンズの固定レンズに対する相対位置を調整するレンズ位置調整装置であって、
固定レンズを保持する固定レンズ鏡枠と、
上記固定レンズに対して位置調整される調整レンズを保持する、磁性材料からなる調整レンズ鏡枠と、
上記調整レンズ鏡枠の周囲に複数配置され、上記調整レンズ鏡枠に磁気力を発生させる位置設定用磁界発生手段と、
を有し、
上記位置設定用磁界発生手段の磁気力によって上記調整レンズ鏡枠の位置を上記固定レンズ鏡枠に対して相対移動調整することを特徴とするレンズ位置調整装置。
【請求項１２】
請求項１１記載のレンズ位置調整装置において、上記位置設定用磁界発生手段は、上記固定レンズ鏡枠の固定レンズの光軸を中心に回転して得られる仮想円上に等角度間隔で少なくとも３つ配置されているレンズ位置調整装置。
【請求項１３】
請求項１２記載のレンズ調整装置において、上記仮想円の中心の光軸方向の位置は、上記調整レンズ鏡枠が配置される範囲内にあり、上記位置設定用磁界発生手段から直進する磁力線は上記固定レンズの光軸に直交し、かつ互いに交差するレンズ位置調整装置。
【請求項１４】
請求項１２記載のレンズ位置調整装置において、上記位置設定用磁界発生手段から直進する磁力線は、上記仮想円から物体側に向かい、上記調整レンズ鏡枠が配置される範囲内であって上記固定レンズの光軸上で互いに交差するレンズ位置調整装置。
【請求項１５】
請求項１２記載のレンズ位置調整装置において、上記調整レンズ鏡枠の配置される範囲内であって上記固定レンズの光軸に直交する平面に対して、物体側と像側にそれぞれ上記仮想円の中心を配置し、上記像側の位置設定用磁界発生手段から直進する磁力線は、上記像側の仮想円から物体側に向かい、上記調整レンズ鏡枠の配置される範囲内であって上記固定レンズの光軸上で互いに交差し、上記物体側の位置設定用磁界発生手段の磁気から直進する磁力線は、上記物体側の仮想円から像側に向かい、上記調整レンズ鏡枠の配置される範囲内であって上記固定レンズの光軸上で互いに交差するレンズ位置調整装置。
【請求項１６】
請求項１１〜請求項１５のいずれか１項記載のレンズ位置調整装置において、上記位置設定用磁界発生手段は電磁石であり、該電磁石には交流電流が通電されるレンズ位置調整装置。
【請求項１７】
請求項１１〜請求項１５のいずれか１項記載のレンズ位置調整装置において、上記位置設定用磁界発生手段は電磁石であり、該電磁石には直流電流が通電されるレンズ位置調整装置。
【発明の詳細な説明】
【技術分野】
【０００１】
本発明は、レンズ位置調整方法及びレンズ位置調整装置に関する。
【背景技術】
【０００２】
現在、デジタルカメラは、小型化、高解像化が進んでおり、撮影レンズ系も小型化、高解像化が求められている。このような撮影レンズ系では、光軸の偏芯量及びピント合わせを高精度で調整しないと、コントラストのバランスのとれた倒れのない画像をえることができず、わずかな部品の精度誤差や組み立ての精度誤差が光学性能に影響を及ぼすことがある。そのため、レンズ同士の良好な位置関係を規定する調整操作が必要である。この調整操作において、光軸直交方向の調整には調芯用ピン等の治具が用いられており、光軸方向の調整にはワッシャ等の治具が用いられている。そして、調整操作は、レンズ（レンズ枠）同士を接着剤等によって固定して完了する。
【発明の開示】
【発明が解決しようとする課題】
【０００３】
しかし、調芯用ピン、及びワッシャ等の治具を用いて、微小な撮影レンズ系の位置調整を高精度に実現することは困難であった。
【０００４】
本発明は、調芯用ピン、及びワッシャ等の治具を用いることなく、微小レンズを高精度で位置調整するレンズ位置調整方法及びこの位置調整方法を実行するためのレンズ位置調整装置を提供することを目的とする。
【課題を解決するための手段】
【０００５】
本発明のレンズ位置調整方法は、固定レンズに対して相対位置調整される調整レンズを磁性材料からなる調整レンズ鏡枠に固定するステップと、固定レンズを保持した固定レンズ鏡枠上に、上記調整レンズ鏡枠を移動可能に支持する可動支持ステップと、調整レンズ鏡枠と位置設定用磁界発生手段との間に作用する磁気力を利用して上記調整レンズ鏡枠を固定レンズ鏡枠に対して相対移動させる位置調整ステップと、位置調整された調整レンズ鏡枠と固定レンズ鏡枠とを固定するステップと、を有することを特徴とする。
【０００６】
可動支持ステップでは、調整レンズ光軸を固定レンズ光軸に可及的に一致させるように調整レンズ枠を位置移動させることが好ましい。
【０００７】
さらに、可動支持ステップでは、固定レンズ鏡枠に対し調整レンズ鏡枠が光軸方向にも可動に支持され、位置調整ステップでは調整レンズ鏡枠と位置設定用磁界発生手段との間に作用する磁気力により調整レンズ鏡枠の光軸方向の位置も調整されることが好ましい。
【０００８】
位置設定用磁界発生手段は、調整レンズ鏡枠の外側に、周方向に間隔をおいて非接触で配置した位置調整用の電磁石であることが好適である。
【０００９】
調整レンズ鏡枠は、周方向に着磁されていることが好ましい。
【００１０】
固定レンズ鏡枠も磁性材料からなることがよく、この固定レンズ鏡枠と調整レンズ鏡枠は互いに吸引されるように着磁されていることが好ましい。
【００１１】
本発明のレンズ位置調整装置は、固定レンズを保持する固定レンズ鏡枠と、固定レンズに位置調整される調整レンズを固定する調整レンズ鏡枠と、調整レンズ鏡枠に作用する磁気力を利用して該調整レンズ鏡枠を固定レンズ鏡枠に対して少なくとも光軸に直交する方向に相対移動させる位置設定用磁界発生手段と、を有することを特徴とする。
【００１２】
上記レンズ位置調整装置の調整レンズ鏡枠は、光軸方向の位置にも調整されることが好ましい。
【００１３】
本発明のレンズ位置調整装置は、調整レンズの光軸を固定レンズの光軸に一致させるレンズ位置調整装置であって、固定レンズを保持する固定レンズ鏡枠と、固定レンズに対して位置調整される調整レンズを保持する、磁性材料からなる調整レンズ鏡枠と、調整レンズ鏡枠周囲に複数配置され、調整レンズ鏡枠に磁気力を発生させる位置設定用磁界発生手段と、を有し、位置設定用磁界発生手段の磁気力によって上記調整レンズ鏡枠の位置を上記固定レンズ鏡枠に対して相対移動させて、調整レンズを位置調整することを特徴とする。
【００１４】
位置設定用磁界発生手段は、固定レンズ鏡枠の固定レンズの光軸を中心に回転して得られる仮想円上に等角度間隔で少なくとも３つ配置されているとよい。
【００１５】
仮想円の中心の光軸方向の位置は、調整レンズ鏡枠が配置される範囲内にあり、位置設定用磁界発生手段から直進する磁力線は、固定レンズの光軸に直交し、かつ互いに交差することが好ましい。
【００１６】
位置設定用磁界発生手段から直進する磁力線は、仮想円から物体側に向かい、調整レンズ鏡枠が配置される範囲内であって、固定レンズの光軸上で互いに交差することが好ましい。
【００１７】
調整レンズ鏡枠の配置される範囲内であって、固定レンズの光軸に直交する平面に対して、物体側と像側にそれぞれ仮想円の中心を配置し、像側の位置設定用磁界発生手段から直進する磁力線は、像側の仮想円から物体側に向かい、調整レンズ鏡枠の配置される範囲内であって固定レンズの光軸上で互いに交差し、物体側の位置設定用磁界発生手段から直進する磁力線は、物体側の仮想円から像側に向かい、調整レンズ鏡枠の配置される範囲内であって固定レンズの光軸上で互いに交差することが好ましい。
【００１８】
位置設定用磁界発生手段は、交流電流が通電されることが好適である。
【００１９】
または、位置設定用磁界発生手段は、直流電流を通電することもできる。
【発明の効果】
【００２０】
本発明は、調芯用ピン、及びワッシャ等の治具を用いることなく、微小レンズを高精度で位置調整するレンズ位置調整方法及びレンズ位置調整装置を得ることができる。
【発明を実施するための最良の形態】
【００２１】
図１は、本発明のレンズ位置調整装置の第一実施形態を示している。本実施形態は、本発明のレンズ位置調整装置をデジタルカメラ１０のレンズの位置調整に適用したものであり、このデジタルカメラ１０は、デジタルカメラ本体１１がデジタルカメラ固定台（不図示）に固定される。デジタルカメラ１０のレンズ鏡筒（不図示）内には、物体側から順に、調整レンズＬ１、固定レンズＬ２ａ、及び固定レンズＬ２ｂが配置されている。固定レンズＬ２ａと固定レンズＬ２ｂは、固定レンズ群Ｌ２を構成しており、これらの光軸はあらかじめ一致させ、ピントが調整された状態にある。固定レンズＬ２ｂの像面側には、デジタルカメラ１０のＣＣＤ（撮像素子）１２が配置されている。レンズ位置調整時には、ＣＣＤ１２はＣＰＵ１３（図３）に接続されており、ＣＣＤ１２の画像信号はＣＰＵ１３を介してディスプレイ（表示手段）１４に表示される（図３）。
【００２２】
調整レンズＬ１は、磁性材料（例えば、鉄、プラスチックマグネット）からなる正面円形の円筒形状の調整レンズ鏡枠２０に固定されている。図２に示すように、この調整レンズ鏡枠２０は、周方向に着磁されている。
【００２３】
固定レンズ群Ｌ２は、正面円形の円筒形状の固定レンズ鏡枠３０に固定（保持）されている。この固定レンズ鏡枠３０は、デジタルカメラ本体１１に支持されており、物体側の端面には調整レンズ鏡枠２０が嵌る嵌合溝３１が形成されている。
【００２４】
調整レンズＬ１は、調整レンズ鏡枠２０を固定レンズ鏡枠３０に対して相対移動させることによって、その光軸を固定レンズ群Ｌ２の光軸αに可及的に一致させ、かつ、ピント位置が調整される。
【００２５】
この位置調整操作において、調整レンズＬ１の物体側には、光源箱（不図示）が配置される。この光源箱は、内部に白色光源（光源）（不図示）が配設されており、調整レンズＬ１に対向する面には透明性材料からなる透明チャート４０が形成されている。透明チャート４０は、その画面内の中心（光軸上）及びその上下左右に、合計５個の同一の白黒パターン（コントラスト検出パターン）からなるチャートを配設したものである。
【００２６】
調整レンズ鏡枠２０の径方向外側には、この調整レンズ鏡枠２０から離間させた（非接触で）仮想円Ｘ（図２）があり、仮想円Ｘは、その中心が固定レンズ群Ｌ２の光軸α上に位置し、光軸αに直交する平面上に位置する。この仮想円Ｘ上に３つの電磁石（位置設定用磁界発生手段）５０が光軸αを中心に等角度（１２０°）間隔で対称に配置されている。仮想円Ｘの中心の光軸方向の位置は、調整レンズ鏡枠２０が配置される範囲内にある。具体的には、仮想円Ｘの中心は、固定レンズ鏡枠３０の物体側に配置される調整レンズ鏡枠２０の光軸方向の両端面の間であって、この２つの平面によって区分される線分の中点Ｏに位置している。なお、電磁石５０は、調整レンズ鏡枠２０の周囲であれば、仮想円Ｘ上に配置されていなくても良く、また、配置間隔は等角度でなくてもよい。
【００２７】
光軸αを中心に１２０°間隔で対称に配置された各電磁石５０からの磁束ベクトルは、中点Ｏ近傍で互いに交差している。電磁石５０は、仮想円Ｘの半径方向に配置される、円柱状の鉄芯（不図示）とこの鉄芯に巻かれるコイル線（不図示）とからなる。コイル線は、電流量を制御する電流制御手段５２（図３）に導かれており、交流電流が通電される。電流制御手段５２はＣＰＵ１３に接続している。
【００２８】
調整レンズ鏡枠に対して、電磁石５０から磁界を発生させると、調整レンズ鏡枠２０には、調整レンズ鏡枠２０を電磁石５０に吸引する方向の吸引磁気力が発生する。この吸引磁気力は、固定レンズ群Ｌ２の光軸に直交し、かつ互いに交差する方向に作用する。そして、吸引磁気力は、電磁石５０の磁界の強さによって変化し、磁界の強さは、電磁石５０に通電する電流量により変化する。したがって、この電流量を調整することで吸引磁気力の強さを変更することができる。また、鉄芯の軸（光軸直交磁束）と固定レンズ群Ｌ２の光軸αの交差角を規定すると、調整レンズ鏡枠２０の吸引磁気力の吸引方向を設定することができる。なお、電磁石５０の電流を調整し、調整レンズ鏡枠２０に反発磁気力を発生させて固定レンズ鏡枠３０に対する調整レンズ鏡枠２０の相対位置を調整することもできる。
【００２９】
各電磁石５０は、それぞれ、デジタルカメラ固定台に立設する、光軸αに平行な方向（深度方向）に移動可能な深度方向ステージ５１に保持されている。深度方向ステージ５１には、この深度方向ステージ５１を光軸方向（深度方向）に移動させるモータ５３（図３）が配置されている。このモータ５３は、回転量と移動方向を制御する駆動制御手段５４に接続しており、駆動制御手段５４はＣＰＵ１３に接続している。また、ＣＰＵ１３には、操作者が入力操作を行う入力手段５５が接続している。したがって、操作者が入力手段５５に入力操作を行うと、ＣＰＵ１３を介して駆動制御手段５４に深度方向ステージ５１の移動指示が与えられる。その後、モータ５３が回転し、深度方向ステージ５１が深度方向（図１のＡ方向）に自在に移動する。
【００３０】
ＣＰＵ１３は、ＣＣＤ１２に結像した透明チャート４０の画像のコントラスト値を算出してディスプレイ１４上に表示させる。画像のコントラスト値は、画面内の５個のチャートのそれぞれのコントラスト値にウェイト値を掛けて演算し、その最大値を表示する。
【００３１】
次に、調整レンズＬ１の位置調整操作について説明する。先ず、調整レンズＬ１を磁性材料からなる調整レンズ鏡枠２０に固定する。固定は公知の方法で行うことができる。この調整レンズ鏡枠２０を、固定レンズ群Ｌ２を保持した固定レンズ鏡枠３０上に光軸αと直交する方向と光軸方向とに移動可能となるように支持する。すなわち、固定レンズ鏡枠３０の嵌合溝３１の底面は、光軸αに直交している。このとき、調整レンズＬ１の光軸と固定レンズ群Ｌ２の光軸αは、おおまかに一致している。この状態において、３つの電磁石５０に通電すると、調整レンズ鏡枠２０は各電磁石５０の吸引磁気力が釣り合う位置で保持される。
【００３２】
吸引磁気力は光軸αに直交する方向にのみ働くため、調整レンズ鏡枠２０が光軸方向に移動することはない。深度方向ステージ５１を光軸方向に移動させると、調整レンズ鏡枠２０は、吸引磁気力によって保持された状態で深度方向ステージ５１と供に光軸方向に移動する。したがって、調整レンズ鏡枠２０の光軸方向の位置を調整することができる。
【００３３】
その後、白色光源を発光させて、透明チャート４０の各チャートを通った光を調整レンズＬ１、固定レンズ群Ｌ２を通してＣＣＤ１２に結像させる。
ＣＣＤ１２に結像された透明チャート４０の像とコントラスト値は、ディスプレイ１４に表示される。
【００３４】
操作者は、透明チャート４０の像とコントラスト値から調整レンズＬ１の光軸と固定レンズ群Ｌ２の光軸αが一致しているか否か、及びピントが合っているか否かを判定する。
【００３５】
光軸が一致していない場合には、調整レンズ鏡枠２０と電磁石５０との間に作用する吸引磁気力を利用して上記調整レンズ鏡枠２０の位置を固定レンズ鏡枠３０に対して相対移動させて、調整レンズＬ１の光軸を固定レンズ群Ｌ２の光軸に可及的に一致させる（調整レンズＬ１を固定レンズ群Ｌ２に調芯する）。
【００３６】
具体的には、操作者は、光軸αに直交する平面上の調整レンズ鏡枠２０の移動位置を入力手段５５に入力する。ＣＰＵ１３は、移動位置の信号を入力手段５５から受信すると、各電磁石５０の電流量を設定し、通電信号を電流制御手段５２に送信する。電流制御手段５２は、設定された電流量を各電磁石５０に通電し、制御する。このように電流量を変化させると、調整レンズ鏡枠２０に対する磁界が変化し、各電磁石５０の吸引磁気力が釣り合う位置に調整レンズ鏡枠２０が移動する。
【００３７】
また、光軸方向の調整が必要なとき（ピントが合っていないとき）には、所望の移動位置を入力手段５５に入力する。ＣＰＵ１３は、移動位置の信号を入力手段５５から受信すると、深度方向ステージ５１の移動量を設定し、駆動制御手段５４に駆動信号を送信する。駆動制御手段５４は、モータ５３を駆動し、深度方向ステージ５１を光軸方向に移動させてピントを合わせる。このとき、深度方向ステージ５１（電磁石５０）と供に、調整レンズ鏡枠２０が光軸方向に移動する。したがって、深度方向ステージ５１を停止させると、調整レンズ鏡枠２０は所望の位置に配置される。
【００３８】
図２に示すように、調整レンズ鏡枠２０は周方向に着磁されており、この着磁位置と電磁石５０の位置は位相差を有している。すなわち、調整レンズ鏡枠２０には、周方向に磁極（Ｓ極またはＮ極）があり、３つの電磁石５０のうち、１つの電磁石５０に対向する位置には、磁極（Ｓ極またはＮ極）がある。この電磁石５０の左右に位置する電磁石５０は、対向する位置にＳ極とＮ極の中間が対向して配置される。このように配置すると、各電磁石５０の電流を変化させるとき、調整レンズ鏡枠２０を、光軸を中心に容易に回転させることができる。さらに、深度方向ステージ５１の光軸方向における移動量を変えることによって、各電磁石５０を光軸αに対して傾斜させることもできる。
【００３９】
以上の光軸方向、光軸直交方向、及び回転方向の位置調整操作を単独または組み合わせて行うことで、調整レンズ鏡枠２０の位置を自在に調整することができる。位置調整操作は、透明チャート４０上の５つの点のコントラスト値が同一となって軸が一致し、かつ、コントラスト値が最大値になってピントが合うことによって完了する。
【００４０】
調整レンズ鏡枠２０の位置調整が完了したら、調整レンズ鏡枠２０と固定レンズ鏡枠３０の相対位置を維持したまま、例えば、紫外線硬化剤からなる接着剤を嵌合溝３１に注入し、紫外線を照射することで硬化させて調整レンズ鏡枠２０と固定レンズ鏡枠３０とを接着固定する。調整レンズ鏡枠２０と固定レンズ鏡枠３０の接着が完了したら、電磁石５０の通電を止め、デジタルカメラ１０をデジタルカメラ固定台から取り外す。
【００４１】
図４、図５は、本発明のレンズ位置調整装置の第二実施形態を示している。第一実施形態と同じ部材には同じ符号を付し、その詳細な説明は省略する。
【００４２】
第二実施形態では、深度方向ステージ５１とこの深度方向ステージ５１に支持される電磁石５０に代えて、中点Ｏを通り固定レンズ群Ｌ２の光軸αに直交する平面に対して所定の角度を設けて３つの電磁石５０が配置される。これらの電磁石５０は、光軸α方向から見て仮想円Ｘ上に等角度（１２０°）間隔であって、各電磁石５０の鉄芯の軸が中点Ｏで交差するように配置されている。すなわち、各電磁石５０から直進して鉄芯の軸に平行な磁束線（鉄芯平行磁束）は、仮想円Ｘから物体側に向かっており、各電磁石５０の鉄芯平行磁束は仮想円Ｘから物体側の光軸α上（中点Ｏ）付近で互いに交差している。このように、各電磁石５０の鉄芯平行磁束は、中点Ｏ付近で互いに交差しており、固定レンズ群Ｌ２の光軸αに直交して中点Ｏを含む平面に対して所定の角度をもっている。別言すると、各電磁石５０の吸引磁気力は、物体側から仮想円Ｘに向かい、調整レンズ鏡枠２０が配置される範囲内であって固定レンズ群Ｌ２の光軸α上で互いに交差する所定の角度を有して作用する。
【００４３】
電磁石５０によって調整レンズ鏡枠２０に吸引磁気力を作用させると、調整レンズ鏡枠２０は固定レンズ鏡枠３０に近づく（押し当てられる）方向に付勢される。
【００４４】
図６、図７は、本発明のレンズ位置調整装置の第三実施形態を示している。第一実施形態と同じ部材には同じ符号を付し、その詳細な説明は省略する。
【００４５】
本実施形態では、深度方向ステージ５１とこの深度方向ステージ５１に支持される電磁石５０に代えて、中点Ｏを通り固定レンズ群Ｌ２の光軸αに直交する平面に対して物体側と像側に所定の角度を設けて３対の電磁石５０が配置されている。そして、物体側と像側の電磁石５０をそれぞれ配置すべき仮想円Ｘの中心は、光軸α上にあって、中点Ｏに対して物体側、及び像側に位置する。物体側と像側の電磁石５０は、それぞれの仮想円Ｘ上に等角度（１２０°）間隔であって、その鉄芯の軸が中点Ｏで交差するように配置されている。物体側の電磁石５０と像側の電磁石５０は、同一位相で配置され、物体側と像側の電磁石５０はそれぞれ対をなしている。
【００４６】
像側の各電磁石５０から直進して鉄芯の軸と平行な磁束線（像側鉄芯軸平行磁束）は、像側の仮想円Ｘ（電磁石５０）から物体側に向かっており、これらの像側鉄芯軸平行磁束は中点Ｏ付近で互いに交差している。また、物体側の各電磁石５０から直進して鉄芯の軸と平行な磁束線（物体側鉄芯平行磁束）は、物体側の仮想円Ｘ（電磁石５０）から像側に向かっており、これらの物体側鉄芯平行磁束は中点Ｏ付近で互いに交差している。このように、像側鉄芯軸平行磁束、及び物体側鉄芯平行磁束は、それぞれ中点Ｏ付近でそれぞれ互いに交差しており、固定レンズ群Ｌ２の光軸αに直交して中点Ｏを含む平面に対して所定の角度を有している。
【００４７】
別言すると、像側の各電磁石５０の吸引磁気力は、物体側から像側の仮想円Ｘに向かい、調整レンズ鏡枠２０の配置される範囲内であって固定レンズ群Ｌ２の光軸α上で互いに交差する所定の角度を有して作用する。また、物体側の各電磁石５０の吸引磁気力は、像側から物体側の仮想円Ｘに向かい、調整レンズ鏡枠２０の配置される範囲内であって固定レンズ群Ｌ２の光軸α上で互いに交差する所定の角度を有して作用する。
【００４８】
調整レンズ鏡枠２０は、対をなす電磁石５０の吸引磁気力を調整することによって光軸方向、及び光軸直交方向の移動量を調整することができる。例えば、物体側と像側の電磁石５０のうち、物体側の電磁石５０の吸引磁気力を大きく（強く）し、像側の電磁石５０の吸引磁気力を小さく（弱く）すると、調整レンズ鏡枠２０と各電磁石５０との間に作用する吸引磁気力のバランスが変化し、調整レンズ鏡枠２０は物体側（光軸方向）に移動する。さらに、各対の電磁石５０間の磁気吸引力のバランスを調整すると、調整レンズ枠２０を傾斜させることもできる。
【００４９】
図８、図９は、本発明のレンズ位置調整装置の第四実施形態を示している。第一実施形態と同じ部材には同じ符号を付し、その詳細な説明は省略する。
【００５０】
本実施形態では、深度方向ステージ５１とこの深度方向ステージ５１に支持される電磁石５０に代えて、中点Ｏを通り固定レンズ群Ｌ２の光軸αに直交する平面に対して所定の角度を設けて４つの電磁石５０が配置される。そして、電磁石５０を配置すべき仮想円Ｘの中心は、光軸α上にあって、中点Ｏに対して像側に位置する。電磁石５０は、仮想円Ｘ上に等角度（９０°）間隔であって、その鉄芯の軸が中点Ｏで交差するように配置されている。各電磁石５０から直進して鉄芯の軸に平行な磁束線（鉄芯軸平行磁束）は、仮想円Ｘから物体側に向かっており、それぞれの鉄芯軸平行磁束は中点Ｏ付近で交差している。
【００５１】
図９は、各電磁石５０に直流電流を通電する状態を示している。直流電流を通電すると、電磁石５０は磁極が変化せず、調整レンズ鏡枠２０は、各電磁石５０が調整レンズ鏡枠２０の磁極（Ｓ極またはＮ極）と常に釣り合う位置に配置される。そのため、調整レンズ鏡枠２０は軸を中心とする回転方向の吸引磁気力を受けず、位置調整操作中の調整レンズ鏡枠２０の無用な回転移動を防止することができる。
【００５２】
なお、以上の実施形態では、位置調整される調整レンズＬ１（調整レンズ鏡枠２０）を１枚としたが、複数のレンズを順次、位置調整することもできる。調整レンズ鏡枠２０は、磁性材料であれば種々の材料を用いることができ、着磁せずに用いてもよい。また、各電磁石５０は、調整レンズ鏡枠２０を所望の位置に移動可能である限り、自由に配置することができる。
【図面の簡単な説明】
【００５３】
【図１】本発明の第一実施形態に係るレンズ位置調整装置の構成を示す一部縦断面図である。
【図２】図１の上面図である。
【図３】本発明の第一実施形態に係るレンズ位置調整装置の系統ブロック図である。
【図４】本発明の第二実施形態に係るレンズ位置調整装置の構成を示す一部縦断面図である。
【図５】図４の上面図である。
【図６】本発明の第三実施形態に係るレンズ位置調整装置の構成を示す一部縦断面図である。
【図７】図６の上面図である。
【図８】本発明の第四実施形態に係るレンズ位置調整装置の構成を示す一部縦断面図である。
【図９】図８の上面図である。
【符号の説明】
【００５４】
１０  デジタルカメラ
１１  デジタルカメラ本体
１２  ＣＣＤ（撮像素子）
１３  ＣＰＵ
１４  ディスプレイ（表示手段）
２０  調整レンズ鏡枠
３０  固定レンズ鏡枠
３１  嵌合溝
４０  透明チャート
５０  電磁石（位置設定用磁界発生手段）
５１  深度方向ステージ
５２  電流制御手段
５３  モータ
５４  駆動制御手段
５５  入力手段
Ｌ１  調整レンズ
Ｌ２  固定レンズ群
Ｌ２ａ  Ｌ２ｂ  固定レンズ
【図１】
2007225768.tif 000003
【図２】
2007225768.tif 000004
【図３】
2007225768.tif 000005
【図４】
2007225768.tif 000006
【図５】
2007225768.tif 000007
【図６】
2007225768.tif 000008
【図７】
2007225768.tif 000009
【図８】
2007225768.tif 000010
【図９】
2007225768.tif 000011